(57)【要約】  センサーの汚損を軽減及び／又は防止する装置及び方法を開示する。この方法は、汚損に応答可能である液状媒質中に浸される又は部分的に浸される超音波手段を備えている。この装置は、超音波手段自体を備えている。この超音波手段は、液状媒質のキャビテーションを有利的に提供するほどの高強度で間欠的に作動しつつ、高強度で超音波手段を作動させることによる典型的な不利な点を避ける。さらに、この方法は、石英の圧電特性の利点を用いて実施しうる。【選択図】図１
2015500461.tif 000002
【特許請求の範囲】
【請求項１】
装置に動作可能に取り付けられ、前記装置の液状媒質中の少なくとも一つのパラメータを測定するセンサーの汚損を軽減し、かつ／又は、防止する方法であって、
前記方法は、
振動子がソースから信号を受け取り、該信号を機械的エネルギーに変換し、該機械的  エネルギーをプローブへ転送するよう、互いに動作可能に連結される振動子とプローブとを備えた、超音波手段を提供する段階と、
前記プローブの少なくとも一部を前記液状媒質に浸漬させる段階と、
前記プローブが超音波振動して前記液状媒質内にキャビテーションを発生させるべく、前記振動子へ前記信号を送ることによって前記超音波手段を作動する段階とを有することを特徴とする方法。
【請求項２】
前記作動する段階は間欠的に行われることを特徴とする請求項１に記載の方法。
【請求項３】
前記超音波手段はセンサーの動作時間の５％未満だけ作動することを特徴とする請求項１に記載の方法。
【請求項４】
前記超音波手段は２０ｋＨｚより大きい周波数で作動することを特徴とする請求項１に記載の方法。
【請求項５】
前記超音波手段は２０〜２００ｋＨｚの範囲の周波数で作動することを特徴とする請求項１に記載の方法。
【請求項６】
前記超音波手段は約４０ｋＨｚの周波数で作動することを特徴とする請求項１に記載の方法。
【請求項７】
前記センサーは石英フローセルにより構成されることを特徴とする請求項１に記載の方法。
【請求項８】
前記振動子は複合材料により形成されることを特徴とする請求項１に記載の方法。
【請求項９】
前記複合材料はジルコン酸鉛よりなることを特徴とする請求項８に記載の方法。
【請求項１０】
前記プローブは少なくとも一つの節点を有し、前記プローブは前記少なくとも一つの節点において前記装置に動作可能に取り付けられることを特徴とする請求項９に記載の方法。
【請求項１１】
前記プローブはチタン合金よりなることを特徴とする請求項１０に記載の方法。
【請求項１２】
前記超音波手段は超音波出力源を有し、前記超音波出力源は、前記振動子に前記信号を送り、前記信号の振幅及び／又は周波数を自動制御し、それにより照射された超音波の振幅及び／又は周波数を制御することを特徴とする請求項１に記載の方法。
【請求項１３】
石英フローセルを有する光学センサーの汚損を軽減し、かつ／又は、防止する方法において、前記方法は、
液状媒質中の少なくとも一つのパラメータを測定する光学センサーを提供する段階と、
前記光学センサーに電源を動作可能に取り付ける段階と、
石英フローセルの汚損を少なくとも軽減するのに十分な超音波キャビテーションを液状媒質内に発生させるような共振を石英フローセルが起こすよう、逆極の電流を石英フローセルに流す段階とを有することを特徴とする方法。
【請求項１４】
前記逆極の電流を石英フローセルに流す段階は、間欠的に行われることを特徴とする請求項１３に記載の方法。
【請求項１５】
前記電流は超音波回路板により駆動されることを特徴とする請求項１３に記載の方法。
【発明の詳細な説明】
【技術分野】
【０００１】
本発明は、センサーの汚損を軽減又は防止する装置及び方法に関する。より詳しくは、本発明は、センサー内を通過する又は通過した液状媒質内に超音波を照射して汚損を軽減又は防止する装置及び方法に関する。
【背景技術】
【０００２】
Ｎａｌｃｏ社の３Ｄ蛍光光度計などのセンサーは、水質測定や工業用水処理システムの制御に有用な機器である。しかしながら、水中の汚染物質によるセンサーの汚損は周知の課題である。水の汚染能が十分高い場合、センサーは非常に早くかつ頻繁に汚損し、使用に耐えなくなる。汚染能の高い水の例として、廃水が挙げられる。センサーの重要部分の汚損を軽減し、かつ／あるいは無くすため、センサーの構造に応じて異なる機械的アプローチがとられてきた。
【０００３】
機械的な汚損防止技術を採用したセンサー構造は多種知られている。例えば、測定システムがプローブの平らな一端にて水に触れる「プローブ」型のセンサーの多くは、プローブの表面から汚染物質をふき取るように設計されたゴムワイパーが設けられている。このような装置の例が、ある特許文献に示される（例えば、特許文献１及び２参照。）。ワイパーは、間欠的に作動し、時々交換が必要である。加えて、プローブに内蔵されるワイパー駆動用モータは時々機能しなくなることもあり、電子機器を液状媒質から隔離するためのシール材もまた、破損箇所になり得る。通常運転中であっても、それ自体は平坦面であるプローブ上にワイパー機構が存在することによって、汚染物質がプローブに付着し始める付着点が生じてしまう。
【０００４】
ある特許文献に示すように、プローブ型センサーは、或る周波数、あるいは周波数帯域において光学センサーを振動させるように設計された超音波振動子を備える（例えば、特許文献３参照。）。超音波を使った類似のアプローチは、流水の光学的測定のためのガラスキュベットを備えた機器（例えば、特許文献４参照。）、光学フローセル（例えば、特許文献５参照。）、紫外線消毒装置（例えば、特許文献６参照。）、スチーム発生装置（例えば、特許文献７参照。）、及び流体が充填された閉管（例えば、特許文献８参照。）を振動させるために適用される。これらの例では、超音波を伝達する装置はセンサーの固体面に接触し、絶えず通電している。センサーの破損を防ぐために、これらの適用例では低出力及び低強度の超音波を採用しており、センサーの汚損の防止又は低減には効果的でないことがわかっている。さらに、超音波は内部表面の汚れを除去するために適用される（例えば、特許文献９〜１１参照）。
【０００５】
センサーの汚染物質を防いだり取り除いたりする機械的装置は他にもある。例えば、加圧空気又は水（例えば特許文献１２参照。）、あるいはジェット状の加圧プロセス流体（例えば、特許文献１３及び１４参照。）が、汚染物質を除去するためにセンサー表面の重要部位に間欠的に吹き付けられる。
【先行技術文献】
【特許文献】
【０００６】
【特許文献１】米国特許第５，４１６，５８１号
【特許文献２】米国特許第７，３４１，６９５号
【特許文献３】米国特許第６，６７８，０４５号
【特許文献４】米国特許第７，８０８，６４２号
【特許文献５】米国特許第６，４５２，６７２号
【特許文献６】米国特許第７，７６３，１７７号
【特許文献７】米国特許第６，５７２，７０９号
【特許文献８】米国特許第５，５２９，６３５号
【特許文献９】米国特許第７，７９９，１４６号
【特許文献１０】米国特許第５，８８９，２０９号
【特許文献１１】米国特許第６，９７７，０１５号
【特許文献１２】米国特許第７，２５０，３０２号
【特許文献１３】米国特許第７，８０３，３２３号
【特許文献１４】米国特許第４，３８５，９３６号
【発明の概要】
【発明が解決しようとする課題】
【０００７】
したがって、センサーの汚染を防ぎ除去する装置及び／又は方法が必要とされている。当該装置及び／又は方法は、最も汚染のひどい流体での使用においても効果的であることが望ましい。また、当該装置及び／又は方法は、使用者の介在なしに高強度超音波手段を採用できることがさらに望ましい。
【課題を解決するための手段】
【０００８】
本発明は、装置に動作可能に取り付けられたセンサーの汚損を軽減し、かつ／又は、防止する方法に関する。センサーは、装置の液状媒質中の少なくとも一つのパラメータを測定する。当該方法は、振動子がソースから信号を受け取り、該信号を機械的エネルギーに変換し、該機械的エネルギーをプローブへ転送するよう、互いに動作可能に連結された振動子とプローブとを備えた超音波手段を提供する段階と、プローブの少なくとも一部を液状媒質に浸漬させる段階と、プローブが周期的な音圧波を液状媒質へ送って、センサーの汚損を少なくとも軽減するに十分なキャビテーションを液状媒質に発生させるべく、振動子へ信号を送ることで超音波手段を作動する段階とを有する。
【０００９】
あるいは、本発明は、光学センサーの汚損を軽減し、かつ／又は、防止する方法に関する。光学センサーは石英フローセルからなり、当該方法は、液状媒質中の少なくとも一つのパラメータを測定する光学センサーを提供する段階、該光学センサーに電源を動作可能に具備させる段階、及び、石英フローセルの汚損を少なくとも軽減するに十分なキャビテーションを液状媒質に発生させるような共振を石英フローセルが起こすよう、逆極の電流を石英フローセルに流す段階を有する。
【００１０】
本発明に係る上述の特徴及び効果及びそれ以外の特徴及び効果は、後述の請求項も併せた上、以下の詳細な説明を参照することにより明らかになるであろう。
【００１１】
本発明の利点と優位性は、後述の発明の実施の形態及び添付図面を参照することにより、当業者にとってさらに容易に明白となろう。
【図面の簡単な説明】
【００１２】
【図１】本発明の複数の実施例、及び本発明が作動中の一例を示す図である。
【図２】本発明の典型的な実施例の概略を示す図である。
【発明を実施するための形態】
【００１３】
本発明は様々な形態をとりうるが、以下、現在の好ましい実施の形態について図示及び説明するが、この開示は本発明の一例であり、本発明が例示された特定の実施例に限定されるものではない。
【００１４】
さらに、本明細書のこのセクションの標題、すなわち「発明を実施するための形態」は、特許庁の様式要件に従ったものであって、本明細書に記載される主題を限定することを示唆するものでも意味するものでもない。
【００１５】
Ｎａｌｃｏ社の３Ｄ蛍光光度計などのセンサーの汚損を軽減し、かつ／又は、防止し、かつ／又は、汚損されたセンサーを清浄する新規なシステム及び方法を開示する。本発明は、従来のクリーニング装置に超音波手段を組み込み使用するものである。本発明は、センサー汚損の発生を少なくとも軽減する機械的な解決手段を提供する。
【００１６】
現在好ましい実施の形態において、超音波はセンサー内を通過する、あるいは通過した液状媒質内に照射される。「センサー」という用語は、光学センサーや透明又は半透明のセンサーハウジングなどを含む、広い意味に解釈されるべきである。特に、「センサー」という用語は、蛍光光度計、赤外線センサー、紫外線センサー、フローセル、ｐＨセンサー、ＯＲＰセンサー、温度センサー、及び類似するあらゆる技術も含むが、これらに限定されるものではない。
【００１７】
超音波を、固体相ではなく液体相へ照射することの重要な利点は、キャビテーション現象、即ち、超音波の振動により内破性の小さな「泡」が液相中に生成することである。内破する泡は、周囲の表面の汚れを落とすに十分な、高い熱と流れのエネルギー力を生み出す。液状媒質中に全体又は部分的に浸すように設計された超音波振動子とプローブを使用することにより、強力なキャビテーションが達成される。
【００１８】
超音波プローブの高さや形態の異なる本発明の複数の実施例を図１に示す。図１に示す底部取り付け構造に加えて、上部取り付け構造も想定されていることに留意されたい。
【００１９】
本発明の他の利点は、既存の機器に困難なく適用できることである。超音波装置全体は機能的にも物理的にもセンサーとは分かれているため、既に設置済みの当分野の機器に超音波手段を適用できる。しかしながら、記載のとおり、最初から超音波手段を備えたセンサーや装置も製造できる。
【００２０】
別の改良点は、超音波手段の操作に関する。従前の設計では、連続的に低強度で操作されていたが、本発明では比較的高強度で間欠的に操作するよう設計される。高強度の超音波手段がクリーニングにもっとも効果的である一方、そのような操作には不利な点がある。例えば、高強度の超音波手段は液状媒質内に乱れを生じさせ、センサーによる測定と干渉してしまう。加えて、超音波装置は経時で腐食を起こし得る。「高強度」という用語は、超音波プローブの先端において１ワット／平方ミリメータより大きい強度を含むと解釈されるべきである。超音波プローブに適用する強度は、プローブの先端における動きの振幅に直接関係し、振幅が大きいほど、より大きなキャビテーションが発生する。
【００２１】
高強度超音波の利点を維持しながら不利な点を最小にするため、個別の適用例の要件にあわせて超音波手段の照射タイミング、頻度、及び、大きさを変更できる。さらに、下限値の汚染がセンサーの重要部位に発生したことがセンサーの値にて示されたときに、超音波手段を始動させることができる。
【００２２】
間欠的な操作の結果として、超音波手段が作動していないときは、超音波に干渉されることなく測定ができる。加えて、高強度の超音波を短時間使用することで、センサーのより強力なクリーニング作用が得られる。典型的な適用例では、超音波手段はセンサーの作動時間の５％未満だけ作動する。
【００２３】
本発明によるクリーニング効果を最大にするために、照射された音波が液状媒質の流れ得る方向に相反しないようにして、超音波手段は液状媒質中に浸される。許容される方向としては、音波と液流ベクトルが互いに平行である（ただし逆方向でない）場合、直交する場合、又は、１８０度以外のあらゆる角度の場合を含む。加えて、キャビテーションの効果を増大するために、プローブ先端付近では超音波手段と乱流とを組合せたほうが有益である。そのような乱流は邪魔板、静的ミキサー、又は当業者に周知の他の装置により発生できる。
【００２４】
また、超音波あるいは化学洗浄剤が単独では不十分な場合、超音波手段と化学洗浄剤を組合せるとより効果的である。そのような化学洗浄剤は、超音波手段の間欠動作と対応するタイミングで液状媒質中へ計量投入することができる。
【００２５】
図１に示す実施例では、振動子（１４０）が、装置（１１０）内の石英フローセル（１１５）中を流れる液状媒質中に少なくとも部分的に浸されたプローブ（１３０）に接続される。装置（１１０）は蛍光光度計のハウジングでよい。超音波（１３５）が振動子（１４０）によって石英フローセル（１１５）内の液状媒質中に発生せしめられ、石英フローセル（１１５）内の液状媒質を通ってプローブ（１３０）へ伝達される。超音波（１３５）は、液状媒質中にキャビテーション（１２５）を連続的又は間欠的に誘発するに十分である。典型的な実施例では測定面（１２０）が明示される。この実施例、及び他のすべての実施例において、信号はソース（図示せず）から導通線（図示されるが符号なし）又は適当な導通手段を通して振動子（１４０）に送られる。
【００２６】
キャビテーション（１２５）は、汚染物質の付着を軽減し、かつ／又は、防止し、かつ／又は、既に付着した汚染物質を除去する。振動子（１４０）は、特許文献６（Rosenberg他による米国特許第７，７６３，１７７号）に記載のものなど、超音波手段に精通する当業者に周知のいかなる設計でもよい。好ましくは、振動子は圧電効果を示し、２０〜２００ｋＨｚの範囲で出力する複合材料からなる。出力は約４０〜約８０ｋＨｚの範囲がさらに好ましく、４０ｋＨｚが最も好ましい。好ましい複合材料は、ジルコン酸鉛である。
【００２７】
本発明は、加圧空気、水、プロセス流体、又は化学洗浄剤をセンサーの重要部分に吹き付けるための一つあるいは複数のノズルを設けてもよい。本発明は、フローセルの内壁から堆積物を擦り取るための引き込み式ブラシ又はワイパーを、追加あるいは代替として設けてもよい。これらの非超音波装置は光学センサーと分かれていてもよく、また、センサーの製造時に組み込まれるように設計されてもよい。
【００２８】
図２は、工程中に取り付けられた超音波手段（４）の典型的な実施例を示す。装置（１２）は液状媒質（１１）が入り口（１５）、フローセル（１３）、及び出口（１７）を通過するように取り付けられる（１６）。装置（１２）は、少なくとも一つのセンサー（１４）を備える。プロセス流中の液状媒質（１１）はＴ字管（９）に流入し、アダプタ（１０）を通る。アダプタはプローブ（６）が液状媒質（１１）に浸かるように超音波手段（４）を装置（１２）に取り付けるためのものである。
【００２９】
超音波手段（４）は、振動子（３）と、ホーン（５）と、プローブ（６）とを具備する。プローブ（６）は、少なくとも一つの節点（８）を有し、プローブ（６）は少なくとも一つの節点（８）において圧縮取付具（７）を介して装置（１２）に取り付けられる。超音波手段（４）は、接続ケーブル（２）、又は、信号をソースから振動子（３）に伝達する他の手段を介してソース（１）接続され得る。ソース（１）は、信号を振動子（３）に伝達する超音波出力源でよい。超音波出力源は、信号の振幅及び／又は周波数を自動的に制御することができ、その制御によって、照射された超音波の振幅及び／又は周波数を制御することができる。
【００３０】
一実施例において、プローブはチタン合金よりなる。
【００３１】
別の実施例においては、別体の振動子を用いることなく、石英の固有の圧電特性を使って振動を発生させている。この実施例では、石英フローセルに逆極の電流を流す。好ましくは、電流は、一定の周波数範囲で掃引しながら電流を出力させるように設計された超音波回路板により駆動される。一定の周波数範囲での掃引により、被接触面を損傷しうる定常波の生成が軽減、かつ／又は防止される。電流は、間欠的に流してもよい。
【００３２】
ここに引用した特許は、本文中に具体的にその旨述べられているか否かにかかわらず、引用によりすべて、本明細書に組み込まれる。
【００３３】
本記載中において、個数の明示がないものは単数形及び複数形の両方を含むものとする。逆に、複数として引用されていても、適宜、単数の場合も含むものとする。
【００３４】
前述の記載から、本発明の新規な思想の精神と範囲から逸脱することなく、さまざまな変更、変形が有効であることが分かろう。図示の特定実施例は、それに限定することを示唆するものでも、意味するものでもないことを留意されたい。本願記載の意図するところは、特許請求の範囲に該当するすべての変形例は添付の請求項に包含されるということである。
【図１】
2015500461.tif 000003
【図２】
2015500461.tif 000004
【国際調査報告】
2015500461.tif 000005
2015500461.tif 000006